(57)【要約】色合成プリズム５００と、この色合成プリズムの各光入射側面に入射側熱伝導板を介してそれぞれ配置された複数の射出側偏光板９２０Ｒ等と、これら複数の射出側偏光板の入射側にそれぞれ配置された複数の液晶表示装置４００Ｒ等と、これら複数の液晶表示装置の入射側にそれぞれ配置された複数の入射側偏光板９１８Ｒ等とを備えた光学装置であって、最も発熱量の大きい色光の光路に位置する入射側熱伝導板９２６Ｇは、他の色光の光路に位置する入射側熱伝導板９２６Ｒ，９２６Ｂと断熱して配置され、かつ、外装ケース３に熱伝導性部材９２８，９６０，９６２を介して連結されている。これにより、小型化・低騒音化に応じることおよび放熱効率を高めることを可能とするプロジェクタを提供する。
2004081658.tif 000002
【特許請求の範囲】
【請求項１】
照明光を射出する照明光学系と、
前記照明光学系から射出された照明光を複数の色光に分離する色分離光学系と、
前記色分離光学系によって分離された各色光をそれぞれ変調して画像を形成する複数の液晶表示装置と、
前記複数の液晶表示装置により変調された各画像を合成する色合成光学装置と、
を備えたプロジェクタにおいて
前記複数の液晶表示装置の光入射側に配置される複数の入射側偏光板と、
前記複数の液晶表示装置の光射出側に配置される複数の射出側偏光板と、
前記色合成光学装置の各光入射側面配置され、前記複数の射出側偏光板が貼付される複数の入射側熱伝導板と、
前記複数の射出側偏光板のうち発熱量が最も大きい射出側偏光板が配置される入射側熱伝導板と連結される第１の熱伝導部材とを備え、
前記第１の熱伝導部材に連結された入射側熱伝導板は他の入射側熱伝導板から断熱され、
前記発熱量が最も大きい射出側偏光板の熱は、前記第１の熱伝導部材を介して放熱可能に構成されていることを特徴とするプロジェクタ。
【請求項２】
請求項１に記載のプロジェクタにおいて、前記色合成光学装置の光射出側面には投写側熱伝導板が配置され、前記投写側熱伝導板には前記複数の射出側偏光板のうち発熱量が２番目以下の射出側偏光板が配置される入射側熱伝導板が連結されていることを特徴とするプロジェクタ。
【請求項３】
請求項１又は請求項２に記載のプロジェクタにおいて、前記複数の射出側偏光板のうち発熱量が最も大きい射出側偏光板が配置された入射側熱伝導板は自然対流及び強制対流によって冷却され、発熱量が２番目以下の前記射出側偏光板が配置される入射側熱伝導板は強制対流によって冷却されるようにそれぞれ構成されていることを特徴とするプロジェクタ。
【請求項４】
請求項１〜３のいずれかに記載のプロジェクタにおいて、
さらに、前記照明光学系と前記色分離光学系とを少なくとも収納する第１及び第２の光学部品用筐体と、
前記複数の液晶表示装置に接続される第２の熱伝導性部材と、
を備え、
前記第１の光学部品用筐体と前記第２の光学部品用筐体とは互いに断熱され、
前記複数の液晶表示装置は、前記第１の光学部品用筐体に前記第２の熱伝導性部材を介して連結されていることを特徴とするプロジェクタ。
【請求項５】
請求項４に記載のプロジェクタにおいて、
前記入射側偏光板が貼付されたパネル側熱伝導板を備え、
前記入射側偏光板は、前記第２の光学部品用筐体に前記パネル側熱伝導板を介して連結されていることを特徴とするプロジェクタ。
【請求項６】
請求項４〜５のいずれかに記載のプロジェクタにおいて、前記色合成光学装置は、前記第１、または第２の光学部品用筐体のうちどちらか一方の光学部品用筐体上に断熱して配置されていることを特徴とするプロジェクタ。
【請求項７】
請求項１〜６に記載のプロジェクタにおいて、
前記プロジェクタは、さらに少なくとも前記照明光学系から前記色合成光学装置までの光路上の光学部品を収納する外装ケースを備え、
前記第１の熱伝導部材は、前記外装ケースに連結されることを特徴とするプロジェクタ。
【発明の詳細な説明】
【技術分野】  本発明は、複数の色光を各色光毎に画像情報に応じて変調する複数の光変調装置と、各光変調装置が対向配置される複数の光束入射端面を有し、各光変調装置で変調された各色光を合成して射出するプロジェクタに関する。
【背景技術】  図６は、従来の光学装置を示す断面図である。図６に示すように、液晶表示装置１０（一つの液晶表示装置のみ図示）は、液晶パネル１２及びパネル保持枠１４を備え、色合成プリズム（色合成光学装置）１６の複数の光入射側面に金属ピン１８を介して取り付けられている。色合成プリズム１６の光入射側面には射出側偏光板２０が取り付けられている。
液晶表示装置１２は、液晶層（図示せず）を介して互いに対向する二つのガラス基板１２Ａ，１２Ｂを有している。ガラス基板１２Ａの射出側面には防塵ガラス２２が、ガラス基板１２Ｂの入射側面には防塵ガラス２４がそれぞれ配置されている。また、ガラス基板１２Ａには配線用のフレキシブル基板２６が接続されている。
パネル保持枠１４は、金属材料からなる二つの枠体１４Ａ，１４Ｂを有し、内部に液晶パネル１２（及び防塵ガラス２２，２４）を保持するように構成されている。
このような光学装置の構造としては、特開２００２−２２９１２１号公報（段落【００３０】〜【００３２】図９、１０を参照）に示されるように、液晶パネルを熱伝導性のよい円柱状スペーサを介してプリズムユニットに取り付ける方法が知られている。
【発明の開示】
ところで、前記した光学装置においては、液晶パネル及び入射・射出側偏光板に対する冷却が強制対流によるものであるため、十分な冷却効果を得るためには（特に高輝度製品において）、大風量が必要とされる。
このため、大型ファンを高速回転させることになり、近年における小型化及び低騒音化に応じることができないという課題があった。
また、液晶表示装置及び入射・射出側偏光板を連結して熱容量を高めることが行われているが、この場合には発生熱が液晶表示装置と入射・射出側偏光板との間を熱移動して外装ケース内に放熱される構造であるため、放熱効率が低下するという課題もあった。
本発明は、このような技術的課題を解決するためになされたもので、近年における小型化及び低騒音化に応じることができるとともに、放熱効率を高めることができる光学装置及びこれを備えたプロジェクタを提供することを目的とする。
（１）本発明に係るプロジェクタは、照明光を射出する照明光学系と、前記照明光学系から射出された照明光を複数の色光に分離する色分離光学系と、前記色分離光学系によって分離された各色光をそれぞれ変調して画像を形成する複数の液晶表示装置と、前記複数の液晶表示装置により変調された各画像を合成する色合成光学装置と、を備えたプロジェクタにおいて前記複数の液晶表示装置の光入射側に配置される複数の入射側偏光板と、前記複数の液晶表示装置の光射出側に配置される複数の射出側偏光板と、前記色合成光学装置の各光入射側面配置され、前記複数の射出側偏光板が貼付される複数の入射側熱伝導板と、前記複数の射出側偏光板のうち発熱量が最も大きい射出側偏光板が配置される入射側熱伝導板と連結される第１の熱伝導部材とを備え、前記第１の熱伝導部材に連結された入射側熱伝導板は他の入射側熱伝導板から断熱され、
前記発熱量が最も大きい射出側偏光板の熱は、前記第１の熱伝導部材を介して放熱可能に構成されていることを特徴とする。
このため、本発明のプロジェクタによれば、各液晶表示装置の光射出側に配置される射出側偏光板において発生した熱は入射側熱伝導板に伝導され、前記入射側熱伝導板を介して放熱される。また、最も発熱量の大きい射出側偏光板が配置された入射側熱伝導板と他の射出側偏光板が配置された入射側熱伝導板と断熱熱されているので、最も発熱量の大きい射出側偏光板で発生した熱を射出側偏光板とは独立させて放熱させることが出来る。さらに、最も発熱量の大きい射出側偏光板が配置された入射側熱伝導板には前記第１の熱伝導部材が連結されているので、前記第１の熱伝導部材を他の温度の低い任意の部材に接続させることができる。
その結果、最も発熱量の大きい色光の光路に位置する射出側偏光板からの放熱効率を最も高くすることができ、全体として放熱効率を効果的に高めることができる。これにより、小型ファンを低速回転させて十分な冷却効果を得ることができ、近年における小型化及び低騒音化に応じることができる。
なお、最も発熱量の大きい色光は、高圧水銀ランプやメタルハライドランプなどの場合には通常緑色となるが、ランプの種類によっては緑色とならないこともあり得る。この場合であっても、ランプの種類に応じて最も発熱量の大きい色光の光路に位置する入射側熱伝導板を他の入射側熱伝導板と断熱して配置することにより、全体として放熱効率を効果的に高めることができる。
（２）上記（１）に記載のプロジェクタにおいて、前記色合成光学装置の光射出側面には投写側熱伝導板が配置され、前記投写側熱伝導板には前記複数の射出側偏光板のうち発熱量が２番目以下の射出側偏光板が配置される入射側熱伝導板が連結されていることが好ましい。
このように構成することにより、複数の入射側熱伝導板のうち発熱量の大きさが２番目以下の色光の光路に位置する入射側熱伝導板から発生した熱は投写側熱伝導板にも伝導され、入射側熱伝導板の温度上昇が抑制される。
（３）上記（１）又は（２）に記載のプロジェクタにおいて、前記複数の射出側偏光板のうち発熱量が最も大きい射出側偏光板が配置された入射側熱伝導板は自然対流及び強制対流によって冷却され、発熱量が２番目以下の前記射出側偏光板が配置される入射側熱伝導板は強制対流によって冷却されるようにそれぞれ構成されていることが好ましい。
このように構成することにより、複数の入射側熱伝導板のうち最も発熱量の大きい射出側偏光板（例えば、緑色の光路に位置する射出側偏光板）が配置される入射側熱伝導板は、前記第１の熱伝導部材の連結先から放熱による冷却及び強制対流による空気を受けて冷却される一方、他の入射側熱伝導板は、強制対流による空気を受けて冷却される。このため、本発明の光学装置によれば、全体としての放熱効率を一層高めることができる。
（４）上記（１）〜（３）のいずれかに記載のプロジェクタにおいて、前記照明光学系と前記色分離光学系とを少なくとも収納する第１及び第２の光学部品用筐体と、前記複数の液晶表示装置に接続される第２の熱伝導性部材と、を備え、前記第１の光学部品用筐体と前記第２の光学部品用筐体とは互いに断熱され、前記複数の液晶表示装置は、前記第１の光学部品用筐体に前記第２の熱伝導性部材を介して連結されていることが好ましい。
このように構成することにより、各液晶表示装置において発生した熱が第１の光学部品用筐体を介して放熱される。
（５）上記（１）〜（４）のいずれかに記載のプロジェクタにおいて、前記入射側偏光板が貼付されたパネル側熱伝導板を備え、前記入射側偏光板は、前記第２の光学部品用筐体に前記パネル側熱伝導板を介して連結されていることが好ましい。
このように構成することにより、各入射側偏光板において発生した熱が第２の光学部品用筐体にパネル側熱伝導板を介して熱伝導され、第２の光学部品用筐体から放熱される。
なお、上記（４）又は（５）に記載のプロジェクタにおいては、各液晶パネルから発生した熱及び各入射側偏光板から発生した熱は、それぞれ別の光学部品用筐体に熱伝導されるように構成されてなることが好ましい。
このように構成することにより、放熱が一層分散され、全体としての放熱効率を一層高めることができる。
（６）前記（４）〜（５）のいずれかに記載のプロジェクタにおいては、前記色合成光学装置は、第１または第２の光学部品用筐体のうち一方の光学部品用筐体上に断熱して配置されていることが好ましい。
このように構成することにより、色合成光学装置と液晶表示装置及び入射側偏光板とは互いに断熱されるため、放熱が一層分散され、全体としての放熱効率を一層高めることができる。
上記（６）に記載のプロジェクタにおいては、前記色合成光学装置と前記色合成光学装置が配置された側の光学部品用筐体との間には、断熱部材からなる色合成光学装置固定板が介装されていることが好ましい。
このように構成することにより、色合成光学装置と色合成光学装置が配置された側の光学部品用筐体との間の断熱は色合成光学装置固定板を介装するだけの簡単な方法により達成される。
また、上記（６）に記載のプロジェクタにおいては、前記色合成光学装置固定板と前記色合成光学装置が配置された側の光学部品用筐体との間には半球状の突子が配設されていることが好ましい。
このように構成することにより、色合成光学装置固定板が色合成光学装置が配置された側の光学部品用筐体に突子によって点接触することになり、断熱効果が一層高められる。
（７）上記（１）〜（６）に記載のプロジェクタにおいてはさらに少なくとも前記照明光学系から前記色合成光学装置までの光路上の光学部品を収納する外装ケースを備え、前記第１の熱伝導部材は、前記外装ケースに連結されることが好ましい。
このように構成することにより、最も発熱量の大きい射出側偏光板を入射側熱伝導板及び第１の熱伝導部材を介して外装ケースに連結させることが出来るため、最も発熱量の大きい射出側偏光板をより効率的に冷却できる。
このため、本発明のプロジェクタは、小型ファンを低速回転させて十分な冷却効果を得ることができるため、近年における小型化及び低騒音化に応じることができるプロジェクタとなる。
【図面の簡単な説明】
【図１】実施形態に係るプロジェクタの外観を示す斜視図。
【図２】光学系の概略構成を説明するために示す平面図。
【図３】実施形態に係るプロジェクタの光学装置を示す斜視図。
【図４】実施形態に係るプロジェクタの光学装置を示す分解斜視図。
【図５】（ａ）〜（ｃ）は、プロジェクタの光学装置の要部を示す平面図と正面図と下面図。
【図６】従来のプロジェクタの光学装置を示す断面図。
【発明を実施する為の最良の形態】
以下、本発明が適用されたプロジェクタにつき、図に示す実施の形態に基づいて説明する。
図１は、本発明の実施形態に係るプロジェクタの外観を示す斜視図である。図２は、図１のプロジェクタにおける光学系の概略構成を説明するために示す平面図である。図３は、本発明の実施形態に係るプロジェクタの光学装置を示す斜視図である。図４は、本発明の実施形態に係るプロジェクタの光学装置を分解して示す斜視図である。図５（ａ）〜（ｃ）は、本発明の実施形態に係るプロジェクタの光学装置の要部を示す平面図、正面図及び下面図である。
図１において、符号１で示すプロジェクタは、装置前方に突出する投写レンズ６００を有する光学系４（図２に図示）を備えている。光学系４は、投写レンズ６００を除き、外装ケース３に内蔵されている。外装ケース３は、アッパーケース３Ａ及びロアケース３Ｂからなる略角形状の箱体によって形成されている。
光学系４は、図２に示すように、投写レンズ６００に加え、照明光学系１００と色分離光学系２００とリレー光学系３００と３つの液晶表示装置４００Ｒ，４００Ｇ，４００Ｂと色合成光学系５００とから大略構成されている。各光学系の構成要素は、色合成光学系５００を中心に略水平方向に配置されている。
照明光学系１００は、光源装置１１０と第１のレンズアレイ１２０と第２のレンズアレイ１３０と偏光変換素子１４０と重畳レンズ１５０とを備えている。
光源装置１１０は、光源ランプ（図示せず）及びリフレクタ１１０Ｂを有している。光源ランプには例えば高圧水銀ランプが用いられている。リフレクタ１１０Ｂには放物面鏡が用いられている。これにより、光源ランプから射出された放射光がリフレクタ１１０Ｂによって一方向に反射され、光軸ＯＣに略平行な光となって第１のレンズアレイ１２０に入射される。
光源ランプとしては、メタルハライドランプやハロゲンランプ等の他の光源ランプを用いてもよい。
また、リフレクタ１１０Ｂとしては、楕円面鏡や球面鏡を用いるようにしてもよい。この場合、光源装置１１０から射出される光が第１のレンズアレイ１２０に効率よく入射するように、光源装置１１０と第１のレンズアレイ１２０との間にレンズ等を配置することが好ましい。
第１のレンズアレイ１２０は、複数の小レンズをマトリックス状に配列して形成されている。そして、光源装置１１０からの光を複数の部分光束に分割するとともに、これら各部分光束を集光させるように構成されている。
第２のレンズアレイ１３０は、第１のレンズアレイ１２０の小レンズに対応するように配列された複数の小レンズを有している。そして、第１のレンズアレイ１２０から射出された各部分光束の中心軸をシステム光軸に平行に揃えるように構成されている。
偏光変換素子１４０は、非偏光な光を３つの液晶表示装置４００Ｒ，４００Ｇ，４００Ｂで利用可能な偏光方向を有する偏光光に揃えるように構成されている。
重畳レンズ１５０は、第２のレンズアレイ１３０（及び偏光変換素子１４０）を射出した光を所定の被照明領域（液晶表示装置４００Ｒ，４００Ｇ，４００Ｂの画像形成領域）に重畳させるように構成されている。このため、第１のレンズアレイ１２０及び第２のレンズアレイ１３０の作用と相俟って液晶表示装置４００Ｒ，４００Ｇ，４００Ｂ（液晶パネル）の画像形成領域をほぼ均一に照明することができる。
色分離光学系２００は、第１のダイクロイックミラー２１０と第２のダイクロイックミラー２２０と反射ミラー２３０とを有している。そして、照明光学系１００から射出される照明光をそれぞれ異なる波長域の３色の照明光に分離するように構成されている。
第１のダイクロイックミラー２１０は、略赤色の光（以下、「Ｒ光」という。）を直角に反射して反射ミラー２３０に向かって進行させ、略青色の光（以下、「Ｂ光」という。）及び略緑色の光（以下、「Ｇ光」という。）を透過させて第２のダイクロイックミラー２２０に向かって進行させるように構成されている。
第２のダイクロイックミラー２２０は、Ｇ光を直角に反射して射出部２００ｇから色合成光学系５００に向かって射出し、またＢ光を透過させて射出部２００ｂからリレー光学系３００に向かって射出するように構成されている。
反射ミラー２３０は、Ｒ光を直角に反射して射出部２００ｒから色合成光学系５００に向かって射出するように構成されている。
色分離光学系２００におけるＲ光の射出部２００ｒ及びＧ光の射出部２００ｇの射出側（液晶表示装置側）には、それぞれフィールドレンズ２４０Ｒ，２４０Ｇが配置されている。これにより、各射出部２００ｒ，２００ｇから射出したＲ，Ｇ光が液晶表示装置４００Ｒ，４００Ｇの液晶パネルを照明する。通常、照明光学系１００からの各部分光束が略平行な光束となるように設定されている。
リレー光学系３００は、入射側レンズ３１０と入射側反射ミラー３２０とリレーレンズ３３０と射出側反射ミラー３４０とフィールドレンズ３５０とを有している。そして、色分離光学系２００における射出部２００ｂから射出したＢ光が各レンズ３１０，３３０，３５０において透過（各反射ミラー３２０，３４０においては反射）し、リレー光学系３００におけるＢ光の射出部３００ｂから色合成光学系５００に向かって射出されるように構成されている。これにより、射出部３００ｂから射出したＢ光が液晶表示装置４００Ｂの液晶パネルを照明する。これにより、光路長が最大であるＢ光の光量損失が抑制される。
フィールドレンズ３５０に入射する光束の大きさは、入射側レンズ３１０に入射する光束の大きさと略等しくなるように設定されている。
なお、本実施形態では、リレー光学系３００を通過する色の照明光がＢ光である場合について説明したが、Ｂ光に代えてＲ光等の他の色光であってもよい。
液晶表示装置４００Ｒ，４００Ｇ，４００Ｂは、例えば透過型の３つの液晶表示装置からなり、ＲＧＢの各色光に対応させて色合成光学系５００の入射側に配置されている。そして、色分離光学系２００（Ｂ光の場合はリレー光学系３００）から射出した各色光を変調し、各色光に対応した画像情報を付加するように構成されている。すなわち、液晶表示装置４００Ｒ，４００Ｇ，４００Ｂ（後述の液晶パネル）は、ドライバ（図示せず）によって画像情報に応じたスイッチング制御が行われる。これにより、各液晶表示装置４００Ｒ，４００Ｇ，４００Ｂを通過する各色光が変調される。
液晶表示装置４００Ｒ，４００Ｇ，４００Ｂは、ほぼ同一の構成であるため、液晶表示装置４００Ｒ，４００Ｂの構成についての説明は省略し、液晶表示装置４００Ｇの構成についてのみ説明すると、液晶表示装置４００Ｇは、図４に示すように液晶パネル４００ｇ及び金属枠９０２から大略構成されている。そして、図３に示すように色合成光学系５００の光入射側に配置されている。
なお、液晶表示装置４００Ｇを構成する各部材が液晶表示装置４００Ｒ，４００Ｂにも同様に含まれ、また静液晶表示装置４００Ｇの入射側及び射出側に配置される偏光板等の構成部材が液晶表示装置４００Ｒ，４００Ｂの入射側及び射出側にも同様に配置されるため、これら構成部材については同一又は同等（Ｒ，Ｇ，Ｂの違い）の符号を付けて説明する。
液晶パネル４００ｇは、液晶層（図示せず）を介して互いに対向する二つのガラス基板（ＴＦＴ基板９００Ａ及び対向基板９００Ｂ）を備え、金属枠９０２内に収容保持され、かつ配線用のフレキシブル基板４００ｇ１に接続されている。
ガラス基板９００Ａは、液晶層側に規則的に配列された多数の画素電極と、これら画素電極に対して画像信号に応じた電圧を印加するための薄膜トランジスタ（ＴＦＴ）からなるスイッチング素子（共に図示せず）とを有し、全体が平面矩形状を有している。ガラス基板９００Ａの射出側には、透明ガラスからなる防塵カバー９０６が貼付されている。
防塵カバー９０６の平面の面積は、図４に示すように、ガラス基板９００Ａの平面の面積より小さいサイズに設定されている。そして、防塵カバー９０６の射出側表面は、金属枠９０２の第２の枠体及び第３の枠体（共に後述）の射出側表面と同一の面上に位置付けられている。これにより、防塵カバー９０６においては、強制対流による冷却風を受け易くなり、その射出側表面からの熱放散が効果的に行われる。
ガラス基板９００Ｂは、ガラス基板９００Ａの画素電極に対向する対向電極（図示せず）を有し、全体がガラス基板９００Ａより若干小さい面積（防塵カバー９０６の平面の面積と略同一の面積）をもつ平面矩形状を有している。ガラス基板９００Ｂの入射側には、透明ガラスからなる防塵カバー９０８が貼付されている。防塵カバー９０８の平面の面積は、ガラス基板９００Ｂの平面の面積と略同一のサイズに設定されている。
液晶表示装置４００の枠体としての金属枠９０２は、第１の枠体（入射側の枠体）９０２Ａ，第２の枠体（射出側の枠体）９０２Ｂ及び第３の枠体（射出側の枠体）９０２Ｃを有し、液晶パネル４００ｇを内部に収容保持するように構成されている。金属枠９０２の入射側には入射側偏光板９１８Ｇ（図２に図示）が配置され、その射出側には射出側偏光板９２０Ｇ（図２に図示）が配置されている。
第１の枠体９０２Ａは、ガラス基板９００Ａ，９００Ｂ及び防塵カバー９０８を収容可能な射出側の空間部（図示せず）を有し、全体が略四角形状の段状枠によって形成されている。第１の枠体９０２Ａ内の下方端縁には、射出側（色合成光学系側）に突出し、かつ左右方向に互いに並列する二つの係合ピン（図示せず）が一体に設けられている。そして、液晶表示装置４００の枠体としての金属枠９０２は図５（ａ）、（ｂ）に示すように、第１の光学部品用筐体９５０（図５に図示）に第２の熱伝導性部材９６４を介して連結されている。これにより、各液晶表示装置４００Ｒ，４００Ｇ，４００Ｂにおいて発生した熱が第１の光学部品用筐体９５０に第２の熱伝導性部材９６４を介して熱伝導され、第１の光学部品用筐体９５０から外装ケース３内に放熱される。
第１の枠体９０２Ａの角部には、図４に示すように、ガラス基板９００Ａ，９００Ｂの並列方向（第１の枠体の厚さ方向）に開口するピン挿通孔９０２Ａ１〜９０２Ａ４が設けられている。ピン挿通孔９０２Ａ１〜９０２Ａ４には断熱ピン９３８が挿通して固定されている。第１の枠体９０２Ａの両側部には、水平方向に突出する係合突起９０２Ａ５，９０２Ａ６（一方の係合突起９０２Ａ５のみ図示）が設けられている。
第２の枠体９０２Ｂは、第１の枠体９０２Ａの射出側に係脱自在に装着され、第１の枠体９０２Ａに第３の枠体９０２Ｃを圧接するように構成されている。第２の枠体９０２Ｂの両側部には、第１の枠体９０２Ａの係合突起９０２Ａ５，９０２Ａ６に係合可能な係合孔９０２ｂ１，９０２ｂ２を有する弾性変形可能なフック９０２Ｂ１，９０２Ｂ２が設けられている。第２の枠体９０２Ｂの射出側には、図４に示すように、射出側偏光板９２０Ｇを貼付する熱伝導板９２６Ｇが配置されている。
第３の枠体（中間枠）９０２Ｃは、防塵カバー９０６の周囲に配置され、かつ第１の枠体９０２Ａの射出側面と第２の枠体９０２Ｂの入射側面との間に介装されている。第３の枠体９０２Ｃには、図４に示すように、各第１の枠体９０２Ａの係合ピンに係合可能なピン係合孔９０２Ｃ１，９０２Ｃ２が設けられている。
第３の枠体９０２Ｃの入射側には、ガラス基板９００Ａの射出側表面に当接する受面９０２ｃ１が設けられている。このため、防塵カバー９０６の平面の面積は、前記したようにガラス基板９００Ａの平面の面積より小さい寸法に設定されている。この場合、第３の枠体９０２Ｃの受面９０２ｃ１とガラス基板９００Ａの入射側表面との接触面積としては、ガラス基板９００Ａの平面の面積から防塵カバー９０６の平面の面積を差し引いた広さとすることができる。これにより、第３の枠体９０２Ｃの受面９０２ｃ１とガラス基板９００Ａの射出側表面とが面接触する。
入射側偏光板９１８Ｇは、第２の光学部品用筐体９５４にパネル側の熱伝導板９５２Ｇ（図示せず）を介して連結されている。入射側偏光板９１８Ｒ，９１８Ｂは、図５（ｂ）に示すように第２の光学部品用筐体９５４にパネル側の熱伝導板９５２Ｒ，９５２Ｂを介してそれぞれ連結されている。これにより、入射側偏光板９１８Ｒ、９１８Ｇ、９１８Ｂにおいて吸収された色光による熱が第２の光学部品用筐体９５４にパネル側の熱伝導板９５２Ｒ，９５２Ｇ，９５２Ｂを介して熱伝導され、第２の光学部品用筐体９５４から外装ケース３内に熱放散される。
射出側偏光板９２０Ｒ，９２０Ｇ，９２０Ｂは、色合成光学系５００の光入射側面に入射側熱伝導板９２６Ｒ，９２６Ｇ，９２６Ｂを介してそれぞれ貼付されている。
入射側熱伝導板９２６Ｒ，９２６Ｇ，９２６ＢのうちＲ，Ｂ色用の光路に対応する二つの熱伝導板９２６Ｒ、９２６Ｂは、平面の面積がほぼ同一の矩形板からなり、投写側熱伝導板９４２によって互いに連結されている。これにより、入射側熱伝導板９２６Ｒ，９２６Ｂと投写側熱伝導板９４２との間を発生熱が熱伝導し、これら熱伝導板９２６Ｒ，９２６Ｂ，投写側熱伝導板９４２の温度上昇が抑制される。入射側熱伝導板９２６Ｒ，９２６Ｂの光入射側面には、パネル側に突出する断熱ピン９３８が取り付けられている。
一方、Ｇ色用の光路に対応する入射側熱伝導板９２６Ｇは、その平面の面積が他の熱伝導板９２６Ｒ，９２６Ｂの平面の面積と異なる（横寸法は短く、縦寸法は長い）縦長の矩形板によって形成されている。そして、他の入射側熱伝導板９２６Ｒ，９２６Ｂに断熱して配置され、かつ外装ケース３に第１の熱伝導性部材としての熱伝導ゴム９６０，９６２及び熱伝導ブロック９２８を介して連結されている。これにより、偏光板９２０Ｇで吸収された熱が熱伝導板９２６Ｇに熱伝導されると、この熱伝導板９２６Ｇから熱伝導ゴム９６０，９６２及び熱伝導ブロック９２８を介して外装ケース３に熱伝導され、この外装ケース３からケース外に放散される。入射側熱伝導板９２６Ｇの光入射面には、図４に示すように、パネル側に突出する断熱ピン９３８が取り付けられている。
断熱ピン９３８は、４本の段（鍔部）付きピンによって形成されている。断熱ピン９３８の途中部には、入射側熱伝導板９２６Ｒ，９２６Ｇ，９２６Ｂに所定の間隔をもって対向する金属枠９０２が固定されている。これにより、入射側熱伝導板９２６Ｒ，９２６Ｇ，９２６Ｂと金属枠９０２とが断熱ピン９３８によって連結されている。このため、液晶パネル４００ｒ，４００ｇ，４００ｂと入射側熱伝導板９２６Ｒ，９２６Ｇ，９２６Ｂとの間を熱移動することはない。
色合成光学系５００は、ダイクロイックプリズム等の色合成光学装置（色合成プリズム）からなり、熱伝導ブロック９２８に連接して各液晶表示装置４００Ｒ，４００Ｇ，４００Ｂの射出側に配置されている。そして、液晶表示装置４００Ｒ，４００Ｇ，４００Ｂによって変調された各色光（画像）を入射させて合成し得るように構成されている。また、色合成光学系５００は、第１の光学部品用筐体９５０に色合成プリズム固定板９３０を介して配置されている。
色合成プリズム固定板９３０は、断熱部材によって形成されている。これにより、色合成光学系５００と液晶表示装置４００Ｒ，４００Ｇ，４００Ｂとは互いに断熱される。色合成プリズム固定板９３０は、図５（ｂ）及び（ｃ）に示すように、第１の光学部品用筐体９５０に半球状の突子９５０Ａを介して配置され、第１の光学部品用筐体９５０に例えば５つの突子９５０Ａに点接触するように構成されている。これにより、色合成光学系５００と液晶表示装置４００Ｒ，４００Ｇ，４００Ｂとの断熱効果は一層高められる。
投写レンズ６００は、色合成光学系５００の射出側に配置されている。そして、色合成光学系５００によって合成された画像を投写面としてのスクリーン（図示せず）上に投写画像として拡大表示するように構成されている。
以上の構成により、実施形態に係るプロジェクタは、緑色用の光路に位置する入射側偏光板９１８Ｇにおける発生熱（吸収熱）はパネル側の熱伝導板９５２Ｇ（図示せず）に熱伝導され、この熱伝導板９５２Ｇから外装ケース３内に熱放散される。
また、緑色用の光路に位置する射出側偏光板９２０Ｇにおける発生熱は外装ケース３の内外に熱放散される。すなわち、射出側偏光板９２０Ｇからの発生熱は入射側熱伝導板９２６Ｇに熱伝導され、この熱伝導板９２６Ｇから外装ケース３内に熱放散されるとともに、熱伝導ゴム９６０，９６２及び熱伝導ブロック９２８を介して外装ケース３に熱伝導され、この外装ケース３から外部（大気中）に熱放散される。
一方、緑色用の光路以外の光路（Ｒ，Ｂ色用の光路に対応する光路）に位置する入射側偏光板９１８Ｒ、９１８Ｂにおける発生熱がパネル側の熱伝導板９５２Ｒ，９５２Ｂに熱伝導され、これら熱伝導板９５２Ｒ，９５２Ｂから外装ケース３内に熱放散される。
また、Ｒ，Ｂ色用の光路に対応する光路に位置する射出側偏光板９２０Ｒ，９２０Ｂにおける発生熱は入射側熱伝導板９２６Ｒ，９２６Ｂに熱伝導され、これら熱伝導板９２６Ｒ，９２６Ｂから外装ケース３内に熱放散される。
そして、液晶パネル４００ｒ，４００ｇ，４００ｂにおける発生熱は金属枠９０２を介して外装ケース３内に熱放散される。
したがって、液晶パネル４００ｒ，４００ｇ，４００ｂと入射側偏光板９１８Ｒ，９１８Ｇ，９１８Ｂと射出側偏光板９２０Ｒ，９２０Ｇ，９２０Ｂとにおける発生熱を外装ケース３の内外に分散させて熱移動させることができるため、液晶パネル４００ｒ，４００ｇ，４００ｂと入射側偏光板９１８Ｒ、９１８Ｇ、９１８Ｂと射出側偏光板９２０Ｒ，９２０Ｇ，９２０Ｂとに対し強制対流による冷却又は自然対流による冷却を行うことができる。
これにより、小型ファンを低速回転させて十分な冷却効果を得ることができ、近年における小型化及び低騒音化に応じることができる。
【図１】
2004081658.tif 000003
【図２】
2004081658.tif 000004
【図３】
2004081658.tif 000005
【図４】
2004081658.tif 000006
【図５】
2004081658.tif 000007
【図６】
2004081658.tif 000008
【国際調査報告】
2004081658.tif 000009
2004081658.tif 000010